(57)【要約】      （修正有）【課題】軽量化できる送風機を提供する。【解決手段】上下方向に延びる中心軸Ｃを中心として回転するインペラと、インペラを回転させるモータと、モータを支持する支持部材２０とを備え、支持部材２０は、モータを設置するベース部と、インペラよりも径方向外側に配置される複数の取付部２３と、ベース部から径方向外側に延びて取付部２３と連結する複数の腕部２２と、を有し、腕部２２は、周方向の幅Ｗａが括れた狭小部２２ａを有する。【選択図】図４
2019100241.tif 000002
【特許請求の範囲】
【請求項１】
上下方向に延びる中心軸を中心として回転するインペラと、
前記インペラを回転させるモータと、
前記モータを支持する支持部材と、を備え、
前記支持部材は、
前記モータを設置するベース部と、
前記インペラよりも径方向外側に配置される複数の取付部と、
前記ベース部から径方向外側に延びて前記取付部と連結する複数の腕部と、を有し、
前記腕部は、周方向の幅が括れた狭小部を有する、送風機。
【請求項２】
前記取付部は、挿通孔を有し、
前記狭小部の周方向の最小幅は、前記挿通孔の中心と前記中心軸との径方向の中心よりも径方向外側に位置する、請求項１に記載の送風機。
【請求項３】
前記狭小部の周方向の最小幅は、前記取付部の周方向の最大幅よりも狭い、請求項１又は請求項２に記載の送風機。
【請求項４】
前記狭小部の周方向の最小幅は、前記腕部の軸方向の厚みよりも広い、請求項１〜請求項３のいずれかに記載の送風機。
【請求項５】
前記狭小部は、軸方向からの平面視において曲線状に形成される、請求項１〜請求項４のいずれかに記載の送風機。
【請求項６】
前記腕部は、周方向に等間隔に位置する、請求項１〜請求項５のいずれかに記載の送風機。
【請求項７】
前記腕部は、軸方向からの平面視において、周方向の両側面の内周端の中心角が９０°以上である、請求項１〜請求項６のいずれかに記載の送風機。
【請求項８】
前記腕部は、３箇所設けられる、請求項１〜請求項７のいずれかに記載の送風機。
【請求項９】
前記支持部材は、複数の前記腕部の外周部を周方向に連結する環状の連結部を有し、
前記連結部の径方向の幅が軸方向の厚みよりも狭い、請求項１〜請求項８のいずれかに記載の送風機。
【請求項１０】
前記腕部の周方向側面と前記連結部の内周面とは曲面状に連続する請求項９に記載の送風機。
【請求項１１】
前記連結部は、上面から軸方向上側に突出する円弧状のリブを有する、請求項９又は請求項１０に記載の送風機。
【請求項１２】
前記腕部の周方向の側面と前記ベース部の外周面とは曲面状に連続する、請求項１〜請求項１１のいずれかに記載の送風機。
【請求項１３】
前記インペラが、軸方向から吸気した空気を径方向外側に吹き出す遠心ファンである、請求項１〜請求項１２に記載の送風機。
【発明の詳細な説明】
【技術分野】
【０００１】
本発明は、送風機に関する。
【背景技術】
【０００２】
従来の送風機は特許文献１に開示されている。この送風機は上下に延びる中心軸周りに回転するインペラと、インペラを回転させるモータと、モータを支持する支持部材とを備える。支持部材はモータを設置するベース部と、取付部とを有する。ベース部は円板状に形成され、ベース部の外周縁はインペラの外周縁よりも径方向外側に配置される。取付部はベース部から径方向外側に突出して形成され、取付部の中央には挿通孔を有する。挿通孔にネジを挿通してネジ止めすることにより、送風機が機器本体に固定される。
【先行技術文献】
【特許文献】
【０００３】
【特許文献１】中国実用新案公告第２０５３７７６２０号明細書
【発明の概要】
【発明が解決しようとする課題】
【０００４】
上記特許文献に開示された送風機によると、近年、機器本体の軽量化のニーズが高まっており、送風機も軽量化が求められている。
【０００５】
本発明は、軽量化できる送風機を提供することを目的とする。
【課題を解決するための手段】
【０００６】
本発明の例示的な送風機は、上下方向に延びる中心軸を中心として回転するインペラと、前記インペラを回転させるモータと、前記モータを支持する支持部材と、を備え、前記支持部材は、前記モータを設置するベース部と、前記インペラよりも径方向外側に配置される複数の取付部と、前記ベース部から径方向外側に延びて前記取付部と連結する複数の腕部と、を有し、前記腕部は、周方向の幅が括れた狭小部を有する。
【発明の効果】
【０００７】
例示的な本発明によれば、軽量化できる送風機を提供することができる。
【図面の簡単な説明】
【０００８】
【図１】図１は、本発明の実施形態に係る送風機の斜視図である。
【図２】図２は、本発明の実施形態に係る送風機の分解斜視図である。
【図３】図３は、本発明の実施形態に係る送風機の支持部材の斜視図である。
【図４】図４は、本発明の実施形態に係る送風機の支持部材の上面図である。
【図５】図５は、本発明の実施形態に係る送風機の支持部材の側面図である。
【発明を実施するための形態】
【０００９】
以下、本発明の例示的な実施形態について、図面を参照しながら詳細に説明する。なお、本明細書では、送風機１の中心軸Ｃと平行な方向を「軸方向」、送風機１の中心軸Ｃに直交する方向を「径方向」、送風機１の中心軸Ｃを中心とする円弧に沿う方向を「周方向」とそれぞれ称する。同様にして、インペラ１０についても、送風機１内に組み込まれた状態において送風機１の軸方向、径方向及び周方向と一致する方向をそれぞれ単に「軸方向」、「径方向」及び「周方向」と呼ぶ。また、本明細書では、軸方向を上下方向とし、支持部材２０に対してインペラ１０側を上として、各部の形状や位置関係を説明する。なお、上下方向は単に説明のための用いられる名称であって、実際の位置関係及び方向を限定しない。
【００１０】
（１．送風機の構成）
本発明の例示的な一実施形態の送風機について説明する。図１、図２は本発明の実施形態に係る送風機１の斜視図及び分解斜視図である。
【００１１】
送風機１はインペラ１０、モータ３０及び支持部材２０を備える。モータ３０はインペラ１０の下側に位置し、中心軸Ｃ回りにインペラ１０を回転させる。
【００１２】
（２．インペラの構成）
インペラ１０は、ベースプレート１１、複数の羽根１２及び環状部１３を有し、樹脂で一体成形される。ベースプレート１１は上面視円形状に形成される。ベースプレート１１の中央部は上方に向かって突出したカップ部１１ａが形成される。
【００１３】
カップ部１１ａは有蓋筒状に形成され、内部にはモータ３０が配置される。カップ部１１ａの中心（中心軸Ｃ上）はモータ３０の軸部（不図示）が固定される。これにより、インペラ１０とモータ３０とが連結され、インペラ１０は中心軸Ｃを中心として回転可能に支持される。モータ３０の駆動によりインペラ１０は上面側から見て時計回りに回転する。
【００１４】
複数の羽根１２はベースプレート１１上に周方向に所定間隔で複数配置される。各羽根１２の外周端は内周端よりも回転方向後方に配置される。これにより、各羽根１２は径方向に対して傾斜している。環状部１３は隣り合う羽根１２の外周部上面を連結して環状に形成される。
【００１５】
（３．支持部材の構成）
図３、図４及び図５は本発明の実施形態に係る支持部材２０の斜視図、上面図及び側面図を示している。支持部材２０はベース部２１、腕部２２、取付部２３及び連結部２４を有し、樹脂で一体成形される。支持部材２０はモータ３０を支持する。
【００１６】
ベース部２１は軸方向に直交する円板状に形成され、ベース部２１の外周縁はインペラ１０の外周縁よりも径方向内側に位置する。ベース部２１の外周縁には軸方向上側に突出する環状の突起部２１ｂが形成され、ベース部２１が変形することを防止する。また、ベース部２１の中心（中心軸Ｃ上）には円筒部２１ａが軸方向上側に延びる。モータ３０は下面中心部に開口する設置孔（不図示）を有し、設置孔に円筒部２１ａを挿入してモータ３０がベース部２１に設置される。
【００１７】
取付部２３はインペラ１０の外周縁よりも径方向外側に位置し、挿通孔２３ａが開口して上面視Ｃ字状に形成される。挿通孔２３ａにビス等を挿通して機器本体と支持部材２０とをネジ止めして、機器本体に送風機１を取り付ける。なお、取付部２３はゴム等の弾性部材（不図示）を介してネジ止めされ、弾性部材がモータ３０の振動を吸収する。
【００１８】
取付部２３の下面はベース部２１の下面よりも軸方向下側に位置し、機器本体の取付面とベース部２１の下面との間に隙間が形成される。これにより、モータ３０の振動がベース部２１から機器本体へ伝わることを防止できる。
【００１９】
腕部２２はベース部２１から径方向外側に延びてベース部２１と取付部２３とを連結する。腕部２２は周方向に等間隔に３箇所設けられる。また、腕部２２は軸方向からの平面視において、周方向の両側面の内周端の中心角θが９０°以上に形成される。これにより、軸方向における腕部２２の強度の低下を抑制しながら、支持部材２０によりモータ３０を安定して支持することができる。従って、モータ３０の軸方向の振動に対する支持部材２０の振動を抑制できる。また、隣り合う腕部２２の間の樹脂を除いて支持部材２０を軽量化し、コストダウンできる。
【００２０】
腕部２２は板状に形成され、周方向の幅が括れて狭くなる狭小部２２ａを有する。これにより、腕部２２の樹脂を減らして支持部材２０をより軽量化することができる。また、狭小部２２ａが設けられても、腕部２２の強度の低下が小さく、モータ３０の軸方向の振動に対する支持部材２０の振動を抑制することができる。
【００２１】
また、狭小部２２ａは軸方向からの平面視において曲線状に形成される。これにより、狭小部２２ａに掛かる応力を低減することができる。従って、軸方向における腕部２２の強度の低下をより抑制できる。
【００２２】
また、腕部２２は狭小部２２ａよりも径方向内側に内周部２２ｂを有し、狭小部２２ａよりも径方向外側に外周部２２ｃを有する。狭小部２２ａの周方向の最小幅Ｗａは、内周部２２ｂの周方向の幅Ｗｂ及び外周部２２ｃの周方向の幅Ｗｃよりも狭い。
【００２３】
また、狭小部２２ａの周方向の最小幅Ｗａは、取付部２３の周方向の最大幅Ｗｄよりも狭く、腕部２２の軸方向の厚みよりも広い。
【００２４】
また、狭小部２２ａの周方向の最小幅Ｗａは、挿通孔２３ａの中心Ｐと中心軸Ｃとの径方向の中心ｍよりも径方向外側に位置する。腕部２２はモータ３０の振動に対して径方向外側に向って振動幅が小さくなる。このため、中心ｍよりも径方向外側に狭小部２２ａの周方向の最小幅Ｗａが位置することにより、モータ３０の軸方向の振動に対する支持部材２０の振動をより抑制できる。
【００２５】
また、腕部２２の周方向の側面とベース部２１の外周面とは曲面状に連続する。これにより、腕部２２の周方向の側面とベース部２１の外周面との連設部に応力が集中することが防止される。従って、軸方向における腕部２２の強度の低下をより抑制できる。
【００２６】
連結部２４は隣り合う腕部２２の外周部を周方向に連結する環状に形成される。連結部２４はインペラ１０の外周縁よりも径方向外側に位置する。連結部２４の径方向の幅Ｗｅ（図４参照）は軸方向の厚みよりも狭い。これにより、連結部２４を設けることによる支持部材２０の重量化を抑制しながら、軸方向における腕部２２の強度の低下をより抑制できる。なお、連結部２４は設けなくてもよい。
【００２７】
取り合う腕部２２の間において、連結部２４は、上面から軸方向上側に突出する円弧状のリブ２４ａを有する。これにより、軸方向における連結部２４及び腕部２２の強度の低下をより抑制できる。
【００２８】
また、腕部２２の周方向側面と連結部２４の内周面とは曲面状に連続する。これにより、腕部２２の周方向の側面と連結部２４の内周面との境界部に応力が集中することが防止される。従って、軸方向における腕部２２の強度の低下をより抑制できる。
【００２９】
（４．送風機の動作）
上記構成の送風機１において、モータ３０を駆動させるとインペラ１０が中心軸Ｃを中心として回転する。これにより、空気は隣り合う羽根１２の間を通って、回転するインペラ１０により径方向外側に向かって加速され、インペラ１０の径方向外側に吹き出される。また、空気が径方向外側に吹き出されて生じた負圧によって、インペラ１０の上側の空気がインペラ１０の内部に吸気される。吸気された空気は、カップ部１１ａの外周面に沿って隣り合う羽根１２の間に流入し、インペラ１０の径方向外側に吹き出される。すなわち、インペラ１０は軸方向から吸気した空気を径方向外側に吹き出す遠心ファンである。
【産業上の利用可能性】
【００３０】
本発明によると、ＯＡ機器、医療機器、家庭用電気製品、または輸送機器等に搭載される。送風機に利用することができる。
【符号の説明】
【００３１】
１・・・送風機、１０・・・インペラ、１１・・・ベースプレート、１１ａ・・・カップ部、１２・・・羽根、１３・・・環状部、２０・・・支持部材、２１・・・ベース部、２１ａ・・・円筒部、２１ｂ・・・突起部、２２・・・腕部、２２ａ・・・狭小部、２２ｂ・・・内周部、２２ｃ・・・外周部、２３・・・取付部、２３ａ・・・挿通孔、２４・・・連結部、２４ａ・・・リブ、３０・・・モータ、Ｃ・・・中心軸、Ｈａ・・・高さ、Ｈｃ・・・高さ、Ｐ・・・中心、ｍ・・・中心、Ｗａ・・・最小幅、Ｗｂ・・・幅、Ｗｃ・・・幅、Ｗｄ・・・最大幅
【図１】
2019100241.tif 000003
【図２】
2019100241.tif 000004
【図３】
2019100241.tif 000005
【図４】
2019100241.tif 000006
【図５】
2019100241.tif 000007